(57)【要約】【課題】移動体端末を受信機器のリモコン及びモニタとして機能させて、受信機器の受信アンテナを調整することができるようにすると共に、受信アンテナの設置場所と受信機器の設置場所とを一々往復して表示画面を確認することなく、受信機器の設置場所から離れている受信アンテナを一人で正確に調整できるようにする。【解決手段】テレビアンテナ情報受信モードに設定された携帯電話２を使用して、テレビアンテナ調整モードに設定されたテレビ１にテレビ１の受信チャンネルを設定するステップと、その後、当該テレビ１から携帯電話２へ受信チャンネルにおけるテレビアンテナ情報を送信するステップと、このテレビアンテナ情報に基づいてテレビ１のテレビアンテナ３を調整するステップとを有する。【選択図】        図６
2007104422.tif 000002
【特許請求の範囲】
【請求項１】
地上及び／又は衛星デジタル放送チューナ内蔵の受信機器の受信アンテナを受信アンテナ情報に基づいて調整するシステムであって、
受信チャンネルが設定されると、前記受信チャンネルにおける受信アンテナ情報を送信する動作を受信アンテナ調整モードとし、
前記受信アンテナ調整モードに設定された受信機器からの受信アンテナ情報を受信する動作を受信アンテナ情報受信モードとしたとき、
前記受信アンテナ調整モードを有する受信機器と、
前記受信アンテナ調整モードに設定された受信機器の受信アンテナを調整するための受信機器遠隔操作用ソフトウェアが起動されると、受信アンテナ情報受信モードに設定される移動体端末とを備え、
前記移動体端末は、
前記受信アンテナ調整モードの受信機器に受信チャンネルを設定し、前記受信チャンネルにおける受信アンテナ情報を受信するように使用されることを特徴とする受信アンテナ調整システム。
【請求項２】
前記受信機器遠隔操作用ソフトウェアには、
ＪＡＶＡ（登録商標）アプレットを用いたソフトウェアが使用されることを特徴とする請求項１に記載の受信アンテナ調整システム。
【請求項３】
前記受信アンテナ情報は、
受信チャンネル情報及び、受信アンテナレベル情報であることを特徴とする請求項１に記載の受信アンテナ調整システム。
【請求項４】
前記受信機器は、
リアルタイムで前記受信アンテナ情報を前記移動体端末に送信することを特徴とする請求項１に記載の受信アンテナ調整システム。
【請求項５】
前記受信チャンネルは、
前記移動体端末の操作ボタンを利用して変更されることを特徴とする請求項１に記載の受信アンテナ調整システム。
【請求項６】
前記受信チャンネルの変更は、
アップキー又はダウンキーを用いて行うことを特徴とする請求項５に記載の受信アンテナ調整システム。
【請求項７】
地上及び／又は衛星デジタル放送チューナ内蔵の受信機器を受信アンテナ調整モードに設定するステップと、
前記受信アンテナ調整モードに設定された受信機器の受信アンテナを調整するための受信機器遠隔操作用ソフトウェアを起動して移動体端末を受信アンテナ情報受信モードに設定するステップと、
前記受信アンテナ情報受信モードに設定された前記移動体端末を使用して、前記受信アンテナ調整モードに設定された前記受信機器に前記受信機器の受信チャンネルを設定するステップと、
前記受信チャンネルを設定した受信機器から前記移動体端末へ前記受信チャンネルにおける受信アンテナ情報を送信するステップと、
前記受信アンテナ情報に基づいて受信機器の受信アンテナを調整するステップとを有することを特徴とする受信アンテナ調整方法。
【請求項８】
前記受信機器遠隔操作用ソフトウェアには、
ＪＡＶＡ（登録商標）アプレットを用いたソフトウェアを使用することを特徴とする請求項７に記載の受信アンテナ調整方法。
【請求項９】
前記受信アンテナ情報は、
受信チャンネル情報及び、受信アンテナレベル情報であることを特徴とする請求項７に記載の受信アンテナ調整方法。
【請求項１０】
リアルタイムで前記受信アンテナ情報を前記移動体端末に送信することを特徴とする請求項７に記載の受信アンテナ調整方法。
【請求項１１】
前記移動体端末の操作ボタンを利用して前記受信チャンネルを変更することを特徴とする請求項７に記載の受信アンテナ調整方法。
【請求項１２】
前記受信チャンネルの変更は、
アップキー又はダウンキーを用いて行うことを特徴とする請求項１１に記載の受信アンテナ調整方法。
【発明の詳細な説明】
【技術分野】
【０００１】
この発明は、地上及び／又は衛星デジタル放送チューナ内蔵の受信機器の受信アンテナを受信アンテナ情報に基づいて調整するテレビアンテナ調整システムなどに適用して好適な受信アンテナ調整システム及び受信アンテナ調整方法に関するものである。
【０００２】
詳しくは、受信アンテナ情報受信モードに設定された移動体端末を使用して、受信アンテナ調整モードに設定された受信機器に受信機器の受信チャンネルを設定し、その後、当該受信機器から移動体端末へ受信チャンネルにおける受信アンテナ情報を送信し、この受信アンテナ情報に基づいて受信機器の受信アンテナを調整することにより、移動体端末を受信機器のリモコン及びモニタとして機能させて、受信機器の受信アンテナを調整することができるようになる共に、受信アンテナの設置場所と受信機器の設置場所とを一々往復して表示画面を確認することなく、受信機器の設置場所から離れている受信アンテナを一人で正確に調整できるようになる。
【背景技術】
【０００３】
近年、地上及び／又は衛星デジタル放送チューナ内蔵のテレビ、ＳＴＢ（Set Top Box）及びＤＶＤ（Digital Versatile Disk）レコーダ等の機器が増えてきた。これらの機器には、アンテナ調整の介助の目的でアンテナ情報をテレビ画面上、又はテレビのスピーカから音などで伝える機能がある。
【０００４】
このようなアンテナ調整介助機能を備えたテレビ、ＳＴＢ及びＤＶＤレコーダに関連して、特許文献１には、衛星デジタル放送受信装置が開示されている。この衛星デジタル放送受信装置によれば、方向調整用パラメータ送信手段を備え、この方向調整用パラメータ送信手段は、希望衛星からの放送信号の受信状態、及び、その放送信号受信時にレベル検出手段により検出された信号レベルを方向調整用パラメータとして、携帯電話やＰＨＳ、或いはコードレス電話装置の子機といった無線式の電話装置に送信する。
【０００５】
このようにすることで、衛星デジタル放送受信装置に接続された衛星受信アンテナの方向を調整する際に、無線式の電話装置を所持した作業者は、衛星受信アンテナ方向を所望の人工衛星に向けて正確且つ簡単に調整できるようにしたというものである。
【０００６】
【特許文献１】特開２０００−０４９６３６号公報（第３頁、第２図）
【発明の開示】
【発明が解決しようとする課題】
【０００７】
ところで、従来例に係る地上及び／又は衛星デジタル放送チューナ内蔵のテレビによれば、テレビの受信アンテナを調整する場合に、テレビ画面に受信アンテナレベル情報を表示したり、テレビのスピーカから音声を出力していたので、テレビから離れた場所、例えば屋根の上に設置された受信アンテナのレベル調整作業が困難だった。
【０００８】
また、特許文献１に見られるように、外部から衛星受信アンテナの方向調整用パラメータの送信指令が入力され、衛星信号が復調されているか否かを判定した判定結果及び、検出された受信信号の信号レベルを無線式の電話装置に送信するだけなので、例えば、無線式の電話装置から受信装置の受信信号のチャンネルを変更することができない。
【０００９】
そこで、本願発明はこのような従来例に係る課題を解決したものであって、移動体端末を受信機器のリモコン及びモニタとして機能させて、受信機器の受信アンテナを調整できるようにすると共に、受信アンテナの設置場所と受信機器の設置場所とを一々往復して表示画面を確認することなく、受信機器の設置場所から離れている受信アンテナを一人で正確に調整できるようにした受信アンテナ調整システム及び受信アンテナ調整方法を提供することを目的とする。
【課題を解決するための手段】
【００１０】
上述した課題を解決するために、請求項１に記載の受信アンテナ調整システムは、地上及び／又は衛星デジタル放送チューナ内蔵の受信機器の受信アンテナを受信アンテナ情報に基づいて調整するシステムであって、受信チャンネルが設定されると、前記受信チャンネルにおける受信アンテナ情報を送信する動作を受信アンテナ調整モードとし、前記受信アンテナ調整モードに設定された受信機器からの受信アンテナ情報を受信する動作を受信アンテナ情報受信モードとしたとき、前記受信アンテナ調整モードを有する受信機器と、前記受信アンテナ調整モードに設定された受信機器の受信アンテナを調整するための受信機器遠隔操作用ソフトウェアが起動されると、受信アンテナ情報受信モードに設定される移動体端末とを備え、前記移動体端末は、前記受信アンテナ調整モードの受信機器に受信チャンネルを設定し、前記受信チャンネルにおける受信アンテナ情報を受信するように使用されることを特徴とするものである。
【００１１】
本願発明に係る受信アンテナ調整システムによれば、地上及び／又は衛星デジタル放送チューナ内蔵の受信機器の受信アンテナを受信アンテナ情報に基づいて調整する場合であって、受信機器は、受信アンテナ調整モードに設定される。移動体端末は、受信アンテナ調整モードに設定された受信機器の受信アンテナを調整するための受信機器遠隔操作用ソフトウェアが起動されて、受信アンテナ情報受信モードに設定される。受信アンテナ情報受信モードに設定された移動体端末は、受信アンテナ調整モードの受信機器に受信チャンネルを設定し、受信チャンネルにおける受信アンテナ情報を受信するように使用される。
【００１２】
従って、移動体端末を受信機器のリモコン及びモニタとして機能させて、受信機器の受信アンテナを調整することができる。これにより、受信アンテナの設置場所と受信機器の設置場所とを一々往復して表示画面を確認することなく、受信機器の設置場所から離れている受信アンテナを一人で正確に調整できるようになる。
【００１３】
上述した課題を解決するために、請求項７に記載の受信アンテナ調整方法は、地上及び／又は衛星デジタル放送チューナ内蔵の受信機器を受信アンテナ調整モードに設定するステップと、前記受信アンテナ調整モードに設定された受信機器の受信アンテナを調整するための受信機器遠隔操作用ソフトウェアを起動して移動体端末を受信アンテナ情報受信モードに設定するステップと、前記受信アンテナ情報受信モードに設定された前記移動体端末を使用して、前記受信アンテナ調整モードに設定された前記受信機器に前記受信機器の受信チャンネルを設定するステップと、前記受信チャンネルを設定した受信機器から前記移動体端末へ前記受信チャンネルにおける受信アンテナ情報を送信するステップと、前記受信アンテナ情報に基づいて受信機器の受信アンテナを調整するステップとを有することを特徴とするものである。
【００１４】
本願発明に係る受信アンテナ調整方法によれば、例えば、受信アンテナの設置場所と受信機器の設置場所とが離れている場合であって、そのアンテナの向きを移動体端末を利用して調整する場合に、移動体端末を受信機器のリモコン及びモニタとして機能させて、受信機器の受信アンテナを調整することができる。
【００１５】
従って、受信アンテナの設置場所と受信機器の設置場所とを一々往復して表示画面を確認することなく、受信機器の設置場所から離れている受信アンテナを一人で正確に調整できるようになる。
【発明の効果】
【００１６】
本願発明に係る受信アンテナ調整システム及び受信アンテナ調整方法によれば、受信アンテナ情報受信モードに設定された移動体端末を使用して、受信アンテナ調整モードに設定された受信機器に受信機器の受信チャンネルを設定し、その後、当該受信機器から移動体端末へ受信チャンネルにおける受信アンテナ情報を送信し、この受信アンテナ情報に基づいて受信機器の受信アンテナを調整するようになされる。
【００１７】
この構成によって、移動体端末を受信機器のリモコン及びモニタとして機能させて、受信機器の受信アンテナを調整することができる。これにより、受信アンテナの設置場所と受信機器の設置場所とを一々往復して表示画面を確認することなく、受信機器の設置場所から離れている受信アンテナを一人で正確に調整できるようになる。
【発明を実施するための最良の形態】
【００１８】
続いて、本願発明に係る受信アンテナ調整システム及び受信アンテナ調整方法の一実施例について図面を参照しながら説明をする。
【００１９】
図１は、本願発明に係る実施例としてのテレビアンテナ調整システム１００の構成例を示す概念図である。図１に示すテレビアンテナ調整システム１００は、受信アンテナ調整システムの一例を構成し、地上及び／又は衛星デジタル放送チューナ内蔵の受信機器の受信アンテナを受信アンテナ情報に基づいて調整するものである。
【００２０】
テレビアンテナ調整システム１００は、テレビ１、携帯電話２及び電話回線４から構成される。受信アンテナ調整モード（以下テレビアンテナ調整モードという）とは、受信チャンネルが設定されると、受信チャンネルにおけるテレビアンテナ情報を送信する動作をいう。受信アンテナ情報受信モード（以下テレビアンテナ情報受信モードという）とは、テレビアンテナ調整モードに設定されたテレビ１からのテレビアンテナ情報を受信する動作をいう。
【００２１】
テレビ１は受信機器の一例を構成し、テレビアンテナ３、情報出力部５、送受信部６、制御部７及び情報入力部８が備えられ、テレビアンテナ調整モードを有している。図中の作業者は、屋根に上り携帯電話２を片手に持ちながらテレビアンテナ３を調整している所である。
【００２２】
情報入力部８は制御部７に接続し、テレビ１にテレビアンテナ調整モードの選択などを送信する。例えば、図示しないテレビメニュー選択ボタンからテレビアンテナ調整モードを指定し、図示しない数字ボタンで携帯電話２の電話番号を入力する。
【００２３】
制御部７は、送受信部６及び情報入力部８に接続され、送受信部６から情報出力部５へ出力される情報を制御する。また、情報入力部８から入力された情報を制御する。例えば、情報入力部８からテレビアンテナ調整モードをテレビ１に設定すると、制御部７は、送受信部６で受信するテレビアンテナ情報を情報出力部５に表示するように制御する。また、制御部７は、テレビアンテナ調整モード中に携帯電話２と接続されると、テレビアンテナ３から受信したテレビアンテナ情報を電話回線４を使用して携帯電話２へ出力するように制御する。
【００２４】
送受信部６は、テレビアンテナ３、電話回線４及び制御部７に接続され、制御部７からテレビアンテナ情報が出力される。また、テレビアンテナ３からテレビジョン信号を受信したり、電話回線４から受信チャンネル情報を受信する。例えば、テレビアンテナ情報は、電話通信網又はインターネット通信網を介して携帯電話２に送信される。送受信部６は、リアルタイムでテレビアンテナ情報を携帯電話２に送信する。テレビアンテナ情報は、受信チャンネル情報及び、テレビアンテナレベル情報である。
【００２５】
情報出力部５は送受信部６に接続され、テレビジョン情報、テレビアンテナ調整モード画面等を表示する。
【００２６】
携帯電話２は移動体端末の一例を構成し、テレビアンテナ調整モードに設定されたテレビ１のテレビアンテナ３を調整するためのテレビ遠隔操作用ソフトウェアが起動されると、テレビアンテナ情報受信モードに設定される。例えば、テレビ遠隔操作用ソフトウェアには、ＪＡＶＡ（登録商標）アプレットを用いたｉアプリ（登録商標）が使用される。携帯電話２は、テレビアンテナ調整モードのテレビ１に受信チャンネルを設定し、受信チャンネルにおけるテレビアンテナ情報を受信するように使用される。携帯電話２は、携帯アンテナ９、情報出力部１１、送受信部１２、制御部１３及び情報入力部１４が備えられる。
【００２７】
情報入力部１４は制御部１３に接続し、例えば、図２に示すメニュー選択ボタン３７からテレビアンテナ情報受信モードを指定する。また、現在表示されている受信チャンネルとは異なる受信チャンネルに切り替える場合に、希望の受信チャンネルの数字ボタン３８を押す。
【００２８】
制御部１３は、送受信部１２及び情報入力部１４に接続され、送受信部１２から情報出力部１１へ出力される情報を制御する。また、情報入力部１４から入力された情報を制御する。例えば、テレビアンテナ情報受信モード中に受信したテレビアンテナ情報を情報出力部１１へ出力するのを制御する。また、情報入力部１４から指定した受信チャンネル変更要求をテレビ１に送信するのを制御する。
【００２９】
送受信部１２は、携帯アンテナ９及び制御部１３に接続され、制御部１３から出力された情報を無線信号に変換して携帯アンテナ９から送信する。また、携帯アンテナ９から受信した無線信号を音声データ等に変換して情報出力部１１へ出力する。
【００３０】
情報出力部１１は、送受信部１２に接続され、携帯電話２の送受信部１２により受信したテレビアンテナ情報を表示する。これにより、携帯電話２をテレビ１のリモコン及びモニタとして機能させて、テレビ１のテレビアンテナ３を調整することができる。
【００３１】
テレビアンテナ情報を携帯電話２に表示するときに、テレビ遠隔操作用ソフトウェアを使用して表示することで、少ない情報量で表示できる。従って、電話回線接続の場合、テレビ遠隔操作用ソフトウェアを使用することで通信費と情報更新の即時性が実現できる。テレビアンテナ調整システム１００は、テレビ１のモデム１８（図３に示す）、Ｅｔｈｅｒｎｅｔ（登録商標）及び携帯電話２などのハードは既存のものが流用可能であり、ソフトウェアのみの更新で安価に実現できる。
【００３２】
図２は、携帯電話２の構成例を示す概念図である。図２に示す携帯電話２には、スピーカ１０、モニタ２３、音声出力部２４、操作ボタン３０及びマイク３１が備えられる。
【００３３】
操作ボタン３０には、入りボタン３５、切りボタン３６、メニュー選択ボタン３７及び数字ボタン３８が備えられる。入りボタン３５は、例えば、電源ＯＮ及び通話（通信）を開始する場合に使用される。切りボタン３６は、例えば、電源ＯＦＦ及び通話（通信）を終了する場合に使用される。この操作ボタン３０を利用して受信チャンネルを変更する。例えば、受信チャンネルの変更は、メニュー選択ボタン３７をアップキー又はダウンキーとして用いて行う。携帯電話２の操作ボタン３０等を操作することで、テレビリモコン２２（図３に示す）と同等の操作が行える。また、受信チャンネルの変更は、自動的にテレビ１が５〜３０秒毎に変更することで受信チャンネルを変更することもできる。音声出力部２４は携帯電話２の上部に位置し、通話時などに音声が出力される。
【００３４】
メニュー選択ボタン３７は、例えば、テレビアンテナ情報受信モード・Ｗｅｂ接続モード・メール送受信モードなどの選択が可能である。数字ボタン３８は、０〜９まで備えられており、電話番号などを指定する場合に使用される。記号ボタンは、＃、＊が備えられており、例えば、数字指定の終了合図として使用される。例えば、テレビアンテナ情報受信モード中に受信チャンネルを１２チャンネルに変更する場合に、操作ボタン３０を「１」、「２」、「＃」と押すことで、「＃」を数字キーの終了合図として使用する。
【００３５】
マイク３１は携帯電話２の下部に位置し、例えば通話時に音声を集音し、制御部１３に出力する。
【００３６】
スピーカ１０は、携帯電話２の表面中央の右端に備えられ、着信音やビープ音などが出力される。モニタ２３は、携帯電話２筐体の前面部の中部から上部にかけて略半分の面積を占めており、テレビアンテナ情報受信モード中に、例えば、受信チャンネル及びテレビアンテナレベルを出力する。
【００３７】
図２のモニタ２３に示す受信チャンネルは、ＵＨＦ（Ultra High Frequency）１３である。ＵＨＦとは、３００ＭＨｚ〜３ＧＨｚの電波の周波数帯を占め、受信チャンネルは１３ｃｈ〜６２ｃｈである。テレビアンテナレベルは０〜３２までの範囲であり、現在２０を表示している。このテレビアンテナレベルが最大３２に近づくように各々の受信チャンネルを設定する。
【００３８】
図３は、テレビ１の制御系の構成例を示すブロック図である。図３に示す情報入力部８には、テレビリモコン２２が備えられる。テレビリモコン２２は、テレビ１をテレビアンテナ調整モードに設定する場合に、例えば、テレビリモコン２２に備えられたテレビアンテナ調整モード設定用のテレビ操作ボタンが指定される。また、テレビチャンネルの変更などに使用される。例えば、図示しないメニュー選択ボタンからテレビアンテナ調整モードを指定し、その後、図示しない数字ボタンで携帯電話２の電話番号を入力して携帯電話２を呼び出す。
【００３９】
制御部７には、ＲＯＭ（Read Only Memory）１９、ＨＤＤ（Hard Disk Drive）２０、ＲＡＭ（Random Access Memory）２１、ＣＰＵ（Central Processing Unit）３９及びＣＰＵバス４１が備えられる。ＲＯＭ１９は、ＣＰＵバス４１に接続し、テレビアンテナ調整用プログラムなどが保存されている。例えば、テレビリモコン２２からテレビアンテナ調整モードが指定されると、ＣＰＵ３９によってＲＯＭ１９に保存されたテレビアンテナ調整用プログラムがＲＡＭ２１上に展開され、テレビ画面には、テレビアンテナ調整モードが表示される。
【００４０】
ＨＤＤ２０は不揮発性の記憶装置であり、ＣＰＵバス４１を介してＣＰＵ３９に接続され、例えば、テレビアンテナ調整モードで設定された内容がＣＰＵ３９によって書き込まれ、電源ＯＦＦの場合に備えて記憶する。ＲＡＭ２１は揮発性のメモリであり、ＣＰＵバス４１を介してＣＰＵ３９に接続され、ＲＯＭ１９のデータを展開したり、テレビリモコン２２からの入力データを一時記憶する。
【００４１】
ＣＰＵ３９は、テレビリモコン２２、ＣＰＵバス４１を介してモデム１８に接続される。ＣＰＵ３９は、テレビリモコン２２からテレビアンテナ調整モードの切り替え情報が入力され、テレビ１をテレビアンテナ調整モードに切り替える。モード切り替え後に、テレビリモコン２２の図示しない数字ボタンで携帯電話２の電話番号が入力されると、モデム１８を介して携帯電話２に接続する。また、携帯電話２から送信される受信チャンネル変更要求をモデム１８を介して受信し、受信チャンネルを変更する。
【００４２】
送受信部６には、チューナ復調器１７、モデム１８及び信号処理部４１が備えられる。チューナ復調器１７は地上及び／又は衛星デジタル放送チューナの一例であり、テレビアンテナ３に接続され、テレビアンテナ３が受信するテレビジョン信号をＴＳ（Transport Stream）信号に復調する。信号処理部４１は、チューナ復調器１７に接続され、チューナ復調器１７から出力されるＴＳ信号を表示可能なデータに変換する。
【００４３】
モデム１８は、電話回線４に接続され、電話回線４を通じて伝送される音声信号をデジタルデータに変換し、また、制御部７からのデジタルデータを音声信号に変換して電話回線４に送出する。
【００４４】
情報出力部５には、テレビモニタ１５及びスピーカ１６が備えられる。テレビモニタ１５及びスピーカ１６は、信号処理部４１に接続され、テレビアンテナ３から受信された情報を出力する。
【００４５】
図４は、携帯電話２の制御系の構成例を示すブロック図である。図４に示す情報入力部１４には、操作ボタン３０及びマイク３１が備えられる。操作ボタン３０には、例えば、メニュー選択ボタン３７があり、このメニュー選択ボタン３７により携帯電話２をテレビアンテナ情報受信モードに設定する。マイク３１は、例えば通話時に音声を集音して音声データに変換し、音声データをＣＰＵ４０に出力する。
【００４６】
制御部１３には、ＲＯＭ２７、ＨＤＤ２８、ＲＡＭ２９、ＣＰＵ４０及びＣＰＵバス４２が備えられる。ＲＯＭ２７はＣＰＵバス４２に接続し、例えば、携帯電話２の起動時に、ＣＰＵ４０によってＲＯＭ２７に格納されたシーケンスプログラムがＲＡＭ２９上に展開される。展開されたプログラムは、起動に必要な各々のプログラムを順番に実行する。
【００４７】
ＨＤＤ２８は不揮発性の記憶装置であり、ＣＰＵバス４２を介してＣＰＵ４０に接続される。例えば、ＨＤＤ２８には、テレビアンテナ情報受信モードで受信した内容がＣＰＵ４０によって書き込まれ、過去の記録として保存される。ＲＡＭ２９は揮発性のメモリであり、ＣＰＵバス４２を介してＣＰＵ４０に接続され、ＲＯＭ２７のデータを展開したり、操作ボタン３０からの入力データを一時記憶する。
【００４８】
ＣＰＵ４０は、操作ボタン３０、マイク３１、ＣＰＵバス４２を介して高周波回路部４３及び信号処理部４２に接続される。例えば、操作ボタン３０のメニュー選択ボタン３７からテレビアンテナ情報受信モードが選択されると、ＣＰＵ４０は、テレビアンテナ情報受信モードに切り替える。また、ＣＰＵ４０は、マイク３１から出力された音声データを信号処理部４２へ出力する。また、更にＣＰＵ４０は、高周波回路部４３が携帯アンテナ９から出力された音声信号及び無線信号を処理する状況に応じて高周波回路部４３を制御する。更にまた、ＣＰＵ４０は、音声信号処理部４２が高周波回路部４３から出力された音声信号及び無線信号を処理する状況に応じて信号処理部４２を制御する。
【００４９】
送受信部１２には、高周波回路部４３及び信号処理部４２が備えられる。高周波回路部４３は携帯アンテナ９に接続され、例えば、携帯アンテナ９が受信する音声信号及び無線信号を増幅し、信号処理部４２へ出力する。信号処理部４２は高周波回路部４３に接続され、例えば、高周波回路部４３から出力される音声信号を復調してモニタ２３に出力する。
【００５０】
情報出力部１１には、モニタ２３及び音声出力部２４が備えられる。モニタ２３及び音声出力部２４は、信号処理部４２に接続される。モニタ２３には、信号処理部４２から出力されたデータが文字、静止画又は動画として表示される。例えば、テレビアンテナ情報受信モード中に、テレビ１からテレビアンテナ情報を受信すると、テレビアンテナレベルなどがモニタ２３に表示される。これにより、携帯電話２をテレビ１のリモコン及びモニタとして機能させて、テレビ１のテレビアンテナ３を調整することができる。音声出力部２４は、信号処理部４２から出力された音声データを音声に変換して出力する。
【００５１】
続いて、シーケンス及びフローを参照しながら実施例１乃至実施例３を示す。実施例１は携帯電話２からテレビ１へ発呼して接続し、実施例２はテレビ１から携帯電話２へ発呼して接続し、実施例３はサーバを介してテレビ１と携帯電話２が接続する例を示す。
【実施例１】
【００５２】
図５は、第１実施例に係るテレビアンテナ調整例を示すシーケンスチャートである。携帯電話２には、予めテレビアンテナ調整モードに設定されたテレビ１のテレビアンテナ３を調整するためのテレビ遠隔操作用ソフトウェアがインストールされている。また、携帯電話２は、このテレビ遠隔操作用ソフトウェアが起動され、テレビアンテナ情報受信モードに設定されている。テレビ１は、テレビアンテナ調整モードに設定され、携帯電話２からのリモート操作待ち受け状態である。
【００５３】
ここで、リモート操作待ち受け状態とは、携帯電話２が、固定の電話回線４に接続されたテレビ１に、この回線の電話番号を指定して発呼したときに、テレビ１が応答してテレビ１と携帯電話２との間に双方向通信が成立するようにテレビ１が待機していることである。
【００５４】
例えば、テレビ１に設置されたモデム１８が着呼し、モデム１８により音声信号が音声データに変換される。変換された音声データは、テレビアンテナ調整モード設定時に起動されたソフトウェアに基づいて解析される。解析後、テレビ１から携帯電話２に応答信号が送信され、テレビ１と携帯電話２との間に双方向通信が成立する。
【００５５】
これらを前提条件として、携帯電話２から自宅の固定電話に電話を掛けて電話通信網を介して接続要求信号Ｓ０１をテレビ１に送信する。接続要求信号Ｓ０１を受信したテレビ１は、接続応答信号Ｓ０２を携帯電話２に送信する。接続応答信号Ｓ０２を受信した携帯電話２は、例えば、携帯電話２のモニタ２３に接続が成功したことを表示する。
【００５６】
ここで、現在表示されている受信チャンネルを変更する場合、携帯電話２は、テレビテレビ１に受信チャンネル情報信号Ｓ０３を送信する。受信チャンネル情報信号Ｓ０３を受信したテレビ１は、携帯電話２に受信チャンネル情報信号Ｓ０３に基づいたテレビアンテナ情報信号Ｓ０４を送信する。また、現在表示されている受信チャンネルを変更しない場合、テレビ１は、例えば、既に選局された受信チャンネルのテレビアンテナ情報信号Ｓ０４を定期的に繰り返し携帯電話２に送信する。テレビアンテナ調整作業中には、テレビ１と携帯電話２との間で、受信チャンネル情報信号Ｓ０３及びテレビアンテナ情報信号Ｓ０４、又は、テレビアンテナ情報信号Ｓ０４の送受信が繰り返される。
【００５７】
テレビアンテナ調整の作業が終了した場合、携帯電話２から切断要求信号Ｓ０５をテレビ１に送信する。切断要求信号Ｓ０５を受信したテレビ１は、テレビアンテナ情報切断信号Ｓ０６を携帯電話２に送信し、続けて切断応答信号Ｓ０７を送信する。これにより、テレビ１は、テレビ１と携帯電話２との電話回線４が切断される。
【００５８】
次に、第１実施例に係る携帯電話２側のフローチャートについて説明する。
【００５９】
図６は、第１実施例に係るテレビアンテナ調整例（携帯電話２側）を示すフローチャートである。携帯電話２には、予めテレビアンテナ調整モードに設定されたテレビ１のテレビアンテナ３を調整するためのテレビ遠隔操作用ソフトウェアがインストールされている。テレビ１は、テレビアンテナ調整モードに設定され、携帯電話２からのリモート操作待ち受け状態である。
【００６０】
これらをテレビアンテナ調整の前提条件として、図６に示すフローチャートのステップＴ１で、作業者は、テレビアンテナ調整モードに設定されたテレビ１のテレビアンテナ３を調整するためのテレビ遠隔操作用ソフトウェアを起動して携帯電話２をテレビアンテナ情報受信モードに設定する。このテレビ遠隔操作用ソフトウェアには、ＪＡＶＡ（登録商標）アプレットを用いたテレビ遠隔操作用ソフトウェアを使用する。ステップＴ２へ移行し、テレビ遠隔操作用ソフトウェアが起動した携帯電話２から自宅の固定電話に電話を掛ける。ステップＴ３へ移行し、モニタ２３にテレビ１との接続が成功したことが表示され、その後、テレビ１から携帯電話２へ受信チャンネルにおけるテレビアンテナ情報が送信され、図２で示したモニタ２３の表示画面が表示されたことを確認してステップＴ４へ移行する。このテレビアンテナ情報は、受信チャンネル情報及び、テレビアンテナレベル情報である。
【００６１】
ステップＴ４では、作業者が、モニタ２３に表示されたテレビアンテナレベルの強弱を確認しながら、このテレビアンテナ情報に基づいてテレビ１のテレビアンテナ３を調整する。例えば、図２に示したモニタ２３によると、テレビアンテナ３を調整する受信チャンネルが１３ｃｈであり、テレビアンテナレベルの２０が表示されている。作業者は、このテレビアンテナレベルの２０が最大値である３２に近づくようにテレビアンテナ３の方向を変更して受信チャンネルを設定する。この作業を例えば、各々の受信チャンネルについて実施する。なお、テレビ１から送信されるテレビアンテナ情報は、送信間隔が０．１〜１０．０秒の間である。この値は、テレビリモコン２２から変更可能であり、電話通信網の混雑具合などを考慮して決める。テレビ１は、リアルタイムでテレビアンテナ情報を携帯電話２に送信する。これにより、携帯電話２をテレビ１のリモコン及びモニタとして機能させて、テレビ１のテレビアンテナ３を調整することができる。
【００６２】
また、現在表示されている受信チャンネルを変更する場合には、テレビアンテナ情報受信モードに設定された携帯電話２を使用して、テレビアンテナ調整モードに設定されたテレビ１にテレビ１の受信チャンネルを設定する。このとき、テレビ１では、テレビアンテナレベル調整の受信チャンネルがＣＰＵ３９により切り替えられる。その後、テレビ１から携帯電話２へ受信チャンネルにおけるテレビアンテナ情報を送信する。受信チャンネルの変更方法は、携帯電話２の操作ボタン３０を利用して受信チャンネルを変更する。例えば、受信チャンネルの変更は、アップキー又はダウンキーを用いて行う。
【００６３】
テレビアンテナ３が最適なテレビアンテナレベルを出力するようにテレビアンテナ３を設定したら、ステップＴ５へ移行し、テレビ遠隔操作用ソフトウェアの起動画面からテレビアンテナ調整を終了するコマンドを指定する。終了コマンド指定後、テレビ１と携帯電話２との通信回線が切断され、モニタ２３に通信回線が切断されたことが表示される。通信回線が切断されたことを確認したらステップＴ６へ移行し、起動していたテレビ遠隔操作用ソフトウェアをメニュー選択ボタン３７を使用して終了させる。また、ステップＴ３でモニタ２３に接続の失敗が表示された場合は、ステップＴ６へ移行し、起動していたテレビ遠隔操作用ソフトウェアを終了させる。
【００６４】
続いて、第１実施例に係るテレビ１側のフローチャートについて説明する。
【００６５】
図７は、第１実施例に係るテレビアンテナ調整例（テレビ１側）を示すフローチャートである。携帯電話２には、テレビ遠隔操作用ソフトウェアがインストールされ、テレビ１は、テレビアンテナ調整モードに設定され、携帯電話２からのリモート操作待ち受け状態である。
【００６６】
これらをテレビアンテナ調整の前提条件として、図７に示すフローチャートのステップＵ１で、待ち受け状態のテレビ１は携帯電話２から着呼し、応答信号を携帯電話２へ送信してステップＵ２へ移行する。ステップＵ２では、携帯電話２から受信チャンネル選択要求の有無が判定される。受信チャンネル選択が実施されていれば、ステップＵ３へ移行する。
【００６７】
ステップＵ３では、テレビ１のＣＰＵ３９が、携帯電話２から送信された受信チャンネル情報をモデム１８を介して取得し、取得した受信チャンネル情報に基づき、チューナ復調器１７の受信チャンネルを変更する。また、ステップＵ２で受信チャンネル選択が実施されていなければ、ステップＵ３の処理は省略され、受信チャンネルは変更されない。
【００６８】
ステップＵ４へ移行し、例えば、受信チャンネルを設定したテレビ１から携帯電話２へ受信チャンネルにおけるテレビアンテナ情報を送信する。例えば、この送信間隔は初期値は３．０秒間隔に設定され、０．１〜１０．０秒の間で、テレビリモコン２２から変更可能であり、電話通信網の混雑具合などを考慮して決める。リアルタイムでテレビアンテナ情報を携帯電話２に送信する。
【００６９】
また、受信チャンネルの変更を、自動的にテレビ１が５〜３０秒毎に変更することも考えられる。このようにすれば、例えば、高所での作業の場合に、携帯電話２で受信チャンネルの変更をしなくて済む。
【００７０】
ステップＵ５へ移行し、テレビ１のＣＰＵ３９は携帯電話２からの終了要求の有無を判定する。ステップＵ５で携帯電話２から終了要求がなかった場合は、ステップＵ２へ戻り、受信チャンネル選択要求の有無判定の後、受信チャンネル情報及びテレビアンテナレベル情報を携帯電話２に送信する。このとき、携帯電話２から終了の要求が送信されるまでは、ステップＵ２〜ステップＵ４の処理を繰り返し、テレビアンテナ情報を携帯電話２に送信する。また、終了要求があった場合は、ステップＵ６へ移行し、ＣＰＵ３９は、テレビアンテナ情報を送信していたのを終了し、ステップＵ７へ移行する。
【００７１】
ステップＵ７では、ＣＰＵ３９が、テレビアンテナ調整モードが終了されたかを判定する。ここで、テレビリモコン２２などでテレビアンテナ調整モード終了が選択されると、起動していたソフトウェアが終了する。また、テレビアンテナ調整モード終了が選択されなければ、テレビ１は、再び携帯電話２からの発呼を待つ状態になる。
【００７２】
このように、第１実施例に係るテレビアンテナ調整システム１００及びテレビアンテナ調整方法によれば、テレビアンテナ情報受信モードに設定された携帯電話２を使用して、テレビアンテナ調整モードに設定されたテレビ１にテレビ１の受信チャンネルを設定し、その後、当該テレビ１から携帯電話２へ受信チャンネルにおけるテレビアンテナ情報を送信し、このテレビアンテナ情報に基づいてテレビ１のテレビアンテナ３を調整するようになされる。
【００７３】
これにより、携帯電話２をテレビ１のリモコン及びモニタとして機能させて、テレビ１のテレビアンテナ３を調整することができる。従って、テレビアンテナ３の設置場所とテレビ１の設置場所とを一々往復してテレビモニタ１５を確認することなく、テレビ１の設置場所から離れているテレビアンテナ３を一人で正確に調整できるようになる。
【実施例２】
【００７４】
図８は、第２実施例に係るテレビアンテナ調整例を示すシーケンスチャートである。携帯電話２には、予めテレビアンテナ調整モードに設定されたテレビ１のテレビアンテナ３を調整するためのテレビ遠隔操作用ソフトウェアがインストールされている。テレビ１は、テレビアンテナ調整モードに設定され、テレビ１から発呼する携帯電話番号及び発呼時刻が設定されている。
【００７５】
これらを前提条件として、設定された発呼時刻になると、テレビ１は携帯電話２に発呼し、電話通信網を介して接続要求信号Ｓ１０を送信する。接続要求信号Ｓ１０を受信した携帯電話２は、テレビアンテナ調整モードに設定されたテレビ１のテレビアンテナ３を調整するためのテレビ遠隔操作用ソフトウェアが起動され、テレビアンテナ情報受信モードに設定され、接続応答信号Ｓ１１をテレビ１に送信する。接続応答信号Ｓ１１を受信したテレビ１は、受信チャンネル待ち受け状態になり、携帯電話２から受信チャンネル情報が送信されるまで待機する。
【００７６】
携帯電話２は、テレビ１に受信チャンネル情報信号Ｓ１２を送信する。テレビ１は、携帯電話２に設定された受信チャンネルのテレビアンテナ情報信号Ｓ１３を送信する。テレビアンテナ情報信号Ｓ１３を受信した携帯電話２は、テレビアンテナ情報信号Ｓ１３をモニタ２３に表示する。
【００７７】
ここで、現在表示されている受信チャンネルを変更する場合には、携帯電話２は、テレビ１に受信チャンネル情報信号Ｓ１２を送信する。受信チャンネル情報信号Ｓ１２を受信したテレビ１は、携帯電話２に受信チャンネル情報信号Ｓ１２に基づいたテレビアンテナ情報信号Ｓ１３を送信する。また、現在表示されている受信チャンネルを変更しない場合、テレビ１は、例えば、既に選局された受信チャンネルのテレビアンテナ情報信号Ｓ１３を定期的に繰り返し携帯電話２に送信する。テレビアンテナ調整作業中には、テレビ１と携帯電話２との間で、受信チャンネル情報信号Ｓ１２及びテレビアンテナ情報信号Ｓ１３、又は、テレビアンテナ情報信号Ｓ１３の送受信が繰り返される。
【００７８】
テレビアンテナ調整の作業が終了した場合、携帯電話２は、切断要求信号Ｓ１４をテレビ１に送信する。切断要求信号Ｓ１４を受信したテレビ１は、テレビアンテナ情報切断信号Ｓ１５を携帯電話２に送信し、続けて切断応答信号Ｓ１６を送信する。これにより、テレビ１は、テレビ１と携帯電話２との電話回線４が切断され、テレビアンテナ調整モードが終了する。
【００７９】
次に、第２実施例に係る携帯電話２側のフローチャートについて説明する。
【００８０】
図９は、第２実施例に係るテレビアンテナ調整例（携帯電話２側）を示すフローチャートである。携帯電話２には、予めテレビアンテナ調整モードに設定されたテレビ１のテレビアンテナ３を調整するためのテレビ遠隔操作用ソフトウェアがインストールされている。テレビ１をテレビアンテナ調整モードに設定し、テレビ２から発呼する携帯電話番号及び発呼時刻が設定されている。
【００８１】
これらをテレビアンテナ調整の前提条件として、図９に示すフローチャートのステップＶ１で、携帯電話２は、設定された時刻にテレビ１から着呼してステップＶ２へ移行する。ステップＶ２では、携帯電話２が、着呼と同時にテレビアンテナ調整モードに設定されたテレビ１のテレビアンテナ３を調整するためのテレビ遠隔操作用ソフトウェアが起動され、テレビアンテナ情報受信モードに設定される。モニタ２３には、テレビアンテナ情報受信モード画面が表示される。
【００８２】
ステップＶ３へ移行し、作業者が、テレビアンテナ情報受信モードに設定された携帯電話２を使用して、テレビアンテナ調整モードに設定されたテレビ１にテレビ１の受信チャンネルを設定する。例えば、テレビ遠隔操作用ソフトウェア起動画面から操作ボタン３０を使用して受信チャンネル数を「１」、「３」、「＃」と指定して受信チャンネル情報をテレビ１に送信する。送信後、テレビ１では、テレビアンテナレベル調整の受信チャンネルがＣＰＵ３９により切り替えられる。その後、テレビ１から携帯電話２へ受信チャンネルにおけるテレビアンテナ情報を送信する。ここでは、受信チャンネルを「１３」に指定する場合を示した。「＃」は数字の終了合図として使用する。
【００８３】
指定した受信チャンネルのテレビアンテナ情報がモニタ２３に表示されたことを確認して、テレビアンテナ情報に基づいてテレビ１のテレビアンテナ３を調整する。例えば、図２に示したモニタ２３によると、テレビアンテナ３を調整する受信チャンネルが１３ｃｈであり、テレビアンテナレベルの２０が表示されている。作業者は、このテレビアンテナレベルの２０が最大値である３２に近づくようにテレビアンテナ３の方向を変更して受信チャンネルを設定する。この作業を例えば、各々の受信チャンネルについて実施する。なお、テレビ１からリアルタイムでテレビアンテナ情報が携帯電話２に送信される。これにより、携帯電話２をテレビ１のリモコン及びモニタとして機能させて、テレビ１のテレビアンテナ３を調整することができる。
【００８４】
例えば、全ての受信チャンネルのテレビアンテナレベル調整が終了し、テレビアンテナ３が全受信チャンネルに対して平均して最適なテレビアンテナレベルを出力するようにテレビアンテナ３を設定したら、作業を終了するためにステップＶ４へ移行する。ステップＶ４では、起動していたテレビ遠隔操作用ソフトウェアをメニュー選択ボタン３７を使用して終了させる。ステップＶ５へ移行し、切りボタン３６を押して通信の切断を行う。
【００８５】
続いて、第２実施例に係るテレビ１側のフローチャートについて説明する。
【００８６】
図１０は、第２実施例に係るテレビアンテナ調整例（テレビ１側）を示すフローチャートである。携帯電話２には、テレビ遠隔操作用ソフトウェアがインストールされ、テレビ１には、テレビアンテナ調整モードが設定され、テレビ２から発呼する携帯電話番号及び発呼時刻が設定されている。
【００８７】
これらをテレビアンテナ調整の前提条件として、図１０に示すフローチャートのステップＷ１で、設定された発呼時刻になり携帯電話２に発呼し接続を要求する。ステップＷ２に移行し、携帯電話２から着呼の有無を判定する。携帯電話２から着呼がなければ、ステップＷ１へ戻り、再び携帯電話２に発呼し接続を要求する。携帯電話２から着呼があれば、ステップＷ３へ移行する。ステップＷ３では、携帯電話２が設定した受信チャンネルの選局情報から受信チャンネルをテレビ１のＣＰＵ３９により変更する。
【００８８】
ステップＷ４へ移行し、変更された受信チャンネルのテレビアンテナレベル情報を携帯電話２に送信する。ステップＷ５へ移行し、テレビ１のＣＰＵ３９は携帯電話２からの選局要求の有無を判定する。選局要求があった場合は、ステップＷ３へ戻り、受信チャンネルをテレビ１のＣＰＵ３９により変更し、変更された受信チャンネルのテレビアンテナレベル情報を携帯電話２に送信する。選局要求がなかった場合は、ステップＷ６へ移行し、携帯電話２から終了要求の有無を判定する。終了要求があれば、テレビアンテナ調整モードを終了する。終了要求がなければ、ステップＷ４へ戻り、受信チャンネルのテレビアンテナレベル情報を携帯電話２に送信する。
【００８９】
このように、第２実施例に係るテレビアンテナ調整システム１００及びテレビアンテナ調整方法によれば、テレビアンテナ情報受信モードに設定された携帯電話２を使用して、テレビアンテナ調整モードに設定されたテレビ１にテレビ１の受信チャンネルを設定し、その後、当該テレビ１から携帯電話２へ受信チャンネルにおけるテレビアンテナ情報を送信し、このテレビアンテナ情報に基づいてテレビ１のテレビアンテナ３を調整するようになされる。
【００９０】
これにより、携帯電話２をテレビ１のリモコン及びモニタとして機能させて、テレビ１のテレビアンテナ３を調整することができる。従って、テレビアンテナ３の設置場所とテレビ１の設置場所とを一々往復してテレビモニタ１５を確認することなく、テレビ１の設置場所から離れているテレビアンテナ３を一人で正確に調整できるようになる。
【実施例３】
【００９１】
図１１は、第３実施例に係るテレビアンテナ調整例を示すシーケンスチャートである。携帯電話２には、予めテレビアンテナ調整モードに設定されたテレビ１のテレビアンテナ３を調整するためのテレビ遠隔操作用ソフトウェアがインストールされている。テレビ１はＬＡＮに接続されている。テレビアンテナ情報を蓄積するための図示しないサーバが設置されている。テレビ１は、テレビアンテナ調整モードに設定されている。
【００９２】
これらを前提条件として、テレビアンテナ調整モード変更後にテレビモニタ１５に映し出されたテレビアンテナ情報送信ボタンをテレビリモコン２２で指定する。指定後には、ＬＡＮに接続された図示しないルータから予めプログラムに組み込まれたアドレスを持つサーバにインターネット通信網を介して接続要求信号Ｓ２０を送信する。接続要求信号Ｓ２０を受信したサーバは、接続応答信号Ｓ２１をテレビ１に送信する。接続応答信号Ｓ２１を受信したテレビ１は、サーバとの双方向通信状態が完了したことをテレビモニタ１５に表示する。
【００９３】
携帯電話２のメニュー選択ボタン３７からテレビ遠隔操作用ソフトウェアを起動する。テレビ遠隔操作用ソフトウェアを起動した時点で、携帯電話２は、インターネット通信網を介してサーバのテレビアンテナ調整用のサイト（プログラム）にアクセスする。アクセス後、モニタ２３からは、ＩＤとパスワードの入力画面が表示され入力が促される。ＩＤとパスワードをテレビ遠隔操作用ソフトウェア起動画面から入力し、サーバに接続要求信号Ｓ２２を送信する。接続要求信号Ｓ２２を受信したサーバは、ＩＤとパスワードを確認して接続応答信号Ｓ２３を携帯電話２に送信する。
【００９４】
ここで、現在表示されている受信チャンネルを変更する場合、携帯電話２は、サーバを経由してテレビテレビ１に受信チャンネル情報信号Ｓ２４を送信する。受信チャンネル情報信号Ｓ２４を受信したテレビ１は、サーバを経由して携帯電話２に受信チャンネル情報信号Ｓ２４に基づいたテレビアンテナ情報信号Ｓ２５を送信する。また、現在表示されている受信チャンネルを変更しない場合、テレビ１は、例えば、既に選局された受信チャンネルのテレビアンテナ情報信号Ｓ２５を定期的に繰り返しサーバを経由して携帯電話２に送信する。テレビアンテナ調整作業中には、テレビ１と携帯電話２との間でサーバを経由して、受信チャンネル情報信号Ｓ２４及びテレビアンテナ情報信号Ｓ２５、又は、テレビアンテナ情報信号Ｓ２５の送受信が繰り返される。
【００９５】
携帯電話２からサーバを経由して切断要求信号Ｓ２６がテレビ１に送信され、切断要求信号Ｓ２６を受信したテレビ１は、サーバを経由して携帯電話２にテレビアンテナ情報切断信号Ｓ２７を送信する。続けてテレビ１は、サーバを経由して携帯電話２に切断応答信号Ｓ２８を送信する。
【００９６】
次に、第３実施例に係る携帯電話２側のフローチャートについて説明する。
【００９７】
図１２は、第３実施例に係るテレビアンテナ調整例（携帯電話２側）を示すフローチャートである。携帯電話２には、予めテレビアンテナ調整モードに設定されたテレビ１のテレビアンテナ３を調整するためのテレビ遠隔操作用ソフトウェアがインストールされている。テレビアンテナ情報を蓄積するためのサーバが設置されている。テレビ１は、ＬＡＮに接続されており、テレビアンテナ調整モードに設定されている。
【００９８】
これらをテレビアンテナ調整の前提条件として、図１２に示すフローチャートのステップＸ１で、作業者は、テレビアンテナ調整モードに設定されたテレビ１のテレビアンテナ３を調整するためのテレビ遠隔操作用ソフトウェアを起動して携帯電話２をテレビアンテナ情報受信モードに設定する。ステップＸ２へ移行し、テレビ遠隔操作用ソフトウェアが起動したモニタ２３には、ＩＤとパスワードの入力画面が表示され入力が促される。例えば、テレビ１購入時に取得したＩＤとパスワードをテレビ遠隔操作用ソフトウェア起動画面から入力し、サーバに接続要求を送信する。接続要求を受信したサーバは、ＩＤとパスワードを確認して接続応答を携帯電話２に送信する。
【００９９】
ステップＸ３へ移行し、サーバからの接続応答の有無を判定する。接続完了の応答メッセージがモニタ２３に表示されれば、ステップＸ４へ移行する。ステップＸ４では、作業者が、モニタ２３に表示されたテレビアンテナレベルの強弱を確認しながら、このテレビアンテナ情報に基づいてテレビ１のテレビアンテナ３を調整する。例えば、図２に示したモニタ２３によると、テレビアンテナ３を調整する受信チャンネルが１３ｃｈであり、テレビアンテナレベルの２０が表示されている。作業者は、このテレビアンテナレベルの２０が最大値である３２に近づくようにテレビアンテナ３の方向を変更して受信チャンネルを設定する。この作業を例えば、各々の受信チャンネルについて実施する。なお、テレビ１からリアルタイムでテレビアンテナ情報が携帯電話２に送信される。これにより、携帯電話２をテレビ１のリモコン及びモニタとして機能させて、テレビ１のテレビアンテナ３を調整することができる。
【０１００】
また、現在表示されている受信チャンネルを変更する場合には、テレビアンテナ情報受信モードに設定された携帯電話２を使用して、テレビアンテナ調整モードに設定されたテレビ１にテレビ１の受信チャンネルを設定する。このとき、テレビ１では、テレビアンテナレベル調整の受信チャンネルがＣＰＵ３９により切り替えられる。その後、テレビ１から携帯電話２へ受信チャンネルにおけるテレビアンテナ情報を送信する。受信チャンネルの変更方法は、携帯電話２の操作ボタン３０を利用して受信チャンネルを変更する。例えば、受信チャンネルの変更は、アップキー又はダウンキーを用いて行う。
【０１０１】
テレビアンテナ３が最適なテレビアンテナレベルを出力するようにテレビアンテナ３を設定したら、作業を終了するためにステップＸ５へ移行する。ステップＸ５では、起動していたテレビ遠隔操作用ソフトウェアをメニュー選択ボタン３７を使用して終了させ、サーバとの通信の切断を行う。携帯電話２側でテレビ遠隔操作用ソフトウェアを終了させることにより携帯電話２とサーバとの通信の切断を実施すると同時に、テレビ１側でもテレビ１とサーバとの通信の切断が実施される。
【０１０２】
また、ステップＸ３で、接続完了の応答メッセージがモニタ２３に表示されなければ、ＩＤ又はパスワードが間違っており、接続することができないのでステップＸ５へ移行しテレビ遠隔操作用ソフトウェアを終了する。
【０１０３】
続いて、第３実施例に係るテレビ１側のフローチャートについて説明する。
【０１０４】
図１３は、第３実施例に係るテレビアンテナ調整例（テレビ１側）を示すフローチャートである。携帯電話２には、予めテレビアンテナ調整モードに設定されたテレビ１のテレビアンテナ３を調整するためのテレビ遠隔操作用ソフトウェアがインストールされている。テレビアンテナ情報を蓄積するためのサーバが設置されている。テレビ１は、ＬＡＮに接続されており、テレビアンテナ調整モードに設定されている。
【０１０５】
これらをテレビアンテナ調整の前提条件として、図１３に示すフローチャートのステップＹ１で、作業者は、テレビアンテナ調整モード中のテレビモニタ１５に映し出されたテレビアンテナ情報送信ボタンをリモコンで指定し、ステップＹ２へ移行する。ステップＹ２では、サーバからの接続応答の有無を判定する。接続完了の応答メッセージがテレビモニタ１５に表示されれば、ステップＹ３へ移行する。
【０１０６】
ステップＹ３では、テレビ１が、受信チャンネルの変更要求が携帯電話２から送信されているかを判定する。受信チャンネルの変更要求が携帯電話２から送信されていればステップＹ４へ移行し、テレビ１のＣＰＵ３９により受信チャンネルが変更される。また、ステップＹ３で、受信チャンネルの変更要求が携帯電話２から送信されていなければ、ステップＹ４の処理をパスして、ステップＹ５へ移行する。
【０１０７】
ステップＹ５では、受信チャンネル情報及びテレビアンテナレベル情報をサーバへ送信する。例えば、この送信間隔は初期値は３．０秒間隔に設定され、０．１〜１０．０秒の間で、テレビリモコン２２から変更可能であり、サーバの処理能力、トラフィックの混雑具合などを考慮して決める。
【０１０８】
ステップＹ６へ移行し、携帯電話２からサーバへ切断要求の有無の判定を行う。携帯電話２からサーバへ切断要求があった場合は、ステップＹ７へ移行し、テレビ１は、テレビアンテナ情報をサーバへ送信するのを切断し、その後、サーバとの通信回線の接続を切断する。続いてステップＹ８へ移行し、テレビ１は、ＣＰＵ３９により起動していたテレビアンテナ調整モード用のソフトウェアを終了し、テレビアンテナ調整作業を終了する。
【０１０９】
また、ステップＹ６で携帯電話２からサーバへ切断要求がなかった場合は、ステップＹ３へ戻り、受信チャンネルの変更確認を実施して、テレビアンテナ情報をサーバへ送信する。また、ステップＹ２で、接続完了の応答メッセージがテレビモニタ１５に表示されなければ、ステップＹ８へ移行し、テレビ１のテレビアンテナ調整モードを終了させる。
【０１１０】
実施例１及び実施例２では、電話通信網を使用してテレビ１と携帯電話２との間で双方向通信していたが、実施例３では、インターネット通信網を使用して双方向通信を行う。これにより、実施例１及び実施例２では、テレビアンテナ作業中に電話回線が占有されるので、例えば、当該固定電話番号を指定して発呼すると通話中になるが、実施例３では、電話回線を占有しないので、テレビアンテナ作業中でも例えば、当該固定電話番号の電話に接続して通話することができる。
【０１１１】
このように、第３実施例に係るテレビアンテナ調整システム１００及びテレビアンテナ調整方法によれば、テレビアンテナ情報受信モードに設定された携帯電話２を使用して、テレビアンテナ調整モードに設定されたテレビ１にテレビ１の受信チャンネルを設定し、その後、当該テレビ１から携帯電話２へ受信チャンネルにおけるテレビアンテナ情報を送信し、このテレビアンテナ情報に基づいてテレビ１のテレビアンテナ３を調整するようになされる。
【０１１２】
これにより、携帯電話２をテレビ１のリモコン及びモニタとして機能させて、テレビ１のテレビアンテナ３を調整することができる。従って、テレビアンテナ３の設置場所とテレビ１の設置場所とを一々往復してテレビモニタ１５を確認することなく、テレビ１の設置場所から離れているテレビアンテナ３を一人で正確に調整できるようになる。
【０１１３】
なお、携帯電話２のモニタ２３にテレビアンテナレベルを表示して、作業者が画面を見ながら作業することは危険を伴う場合があるので、携帯電話２に起動しているテレビ遠隔操作用ソフトウェアからテレビアンテナレベルの数値等をスピーカ１０から出力することや、また、テレビ１にテレビアンテナレベルを表示する場合に使用するビープ音に相当する音を携帯電話２のスピーカ１０から出力して、テレビアンテナレベルを作業者に伝えることも考えられる。
【０１１４】
更に、作業者が携帯電話２のボタンを操作するのに危険が伴うような場合を考え、携帯電話２に起動したテレビ遠隔操作用ソフトウェアによって、作業者からの音声によるチャンネルアップ・ダウン、選局命令などを判断して、操作ボタン３０と同様の操作データに変換してテレビ１に送信することも考えられる。
【産業上の利用可能性】
【０１１５】
本願発明は、地上及び／又は衛星デジタル放送チューナ内蔵テレビのアンテナ調整などに適用して好適である。
【図面の簡単な説明】
【０１１６】
【図１】本願発明に係る実施例としてのテレビアンテナ調整システム１００の構成例を示す概念図である。
【図２】携帯電話２の構成例を示す概念図である。
【図３】テレビ１の制御系の構成例を示すブロック図である。
【図４】携帯電話２の制御系の構成例を示すブロック図である。
【図５】第１実施例に係るテレビアンテナ調整例を示すシーケンスチャートである。
【図６】第１実施例に係るテレビアンテナ調整例（携帯電話２側）を示すフローチャートである。
【図７】第１実施例に係るテレビアンテナ調整例（テレビ１側）を示すフローチャートである。
【図８】第２実施例に係るテレビアンテナ調整例を示すシーケンスチャートである。
【図９】第２実施例に係るテレビアンテナ調整例（携帯電話２側）を示すフローチャートである。
【図１０】第２実施例に係るテレビアンテナ調整例（テレビ１側）を示すフローチャートである。
【図１１】第３実施例に係るテレビアンテナ調整例を示すシーケンスチャートである。
【図１２】第３実施例に係るテレビアンテナ調整例（携帯電話２側）を示すフローチャートである。
【図１３】第３実施例に係るテレビアンテナ調整例（テレビ１側）を示すフローチャートである。
【符号の説明】
【０１１７】
１・・・テレビ（受信機器）、２・・・携帯電話（移動体端末）、３・・・テレビアンテナ、４・・・電話回線、５・・・情報出力部、６・・・送受信部、７・・・制御部、８・・・情報入力部、９・・・携帯アンテナ、１１・・・情報出力部、１２・・・送受信部、１３・・・制御部、１４・・・情報入力部、１８・・・モデム、２２・・・テレビリモコン、２３・・・モニタ、３０・・・操作ボタン、３９・・・ＣＰＵ、４０・・・ＣＰＵ、１００・・・テレビアンテナ調整システム（受信アンテナ調整システム）
【図１】
2007104422.tif 000003
【図２】
2007104422.tif 000004
【図３】
2007104422.tif 000005
【図４】
2007104422.tif 000006
【図５】
2007104422.tif 000007
【図６】
2007104422.tif 000008
【図７】
2007104422.tif 000009
【図８】
2007104422.tif 000010
【図９】
2007104422.tif 000011
【図１０】
2007104422.tif 000012
【図１１】
2007104422.tif 000013
【図１２】
2007104422.tif 000014
【図１３】
2007104422.tif 000015